(57)【要約】【課題】符号化したコンテンツを送信する場合に、規定によって定められた間隔で制御情報を送信する技術を提供する。【解決手段】第１受付部２２は、コンテンツの伝送速度に関する第１指示を受けつけ、第２受付部２４は、コンテンツに少なくとも制御情報が追加されたシステム情報の伝送速度に関する第２指示を受けつける。第１処理部３２は、第２指示に応じた複数のパケットのうち、制御情報の送信間隔の規定に応じたパケットを制御情報用のパケットとして割当てる。第１処理部３２は、制御情報用のパケットに制御情報を含めず、当該制御情報用のパケットに挿入されるべき制御情報をもとに制御情報用のパケットのヘッダを設定する。第２処理部３６は、割当てた制御情報用のパケット以外のパケットのうち、第１指示に応じたパケットをコンテンツ用のパケットして割当てる。第１処理部３２は、コンテンツ用のパケットにコンテンツを含める。【選択図】図１
2015159468.tif 000002
【特許請求の範囲】
【請求項１】
コンテンツの伝送速度に関する第１指示を受けつける第１受付部と、
コンテンツに少なくとも制御情報が追加されたシステム情報の伝送速度に関する第２指示を受けつける第２受付部と、
前記第２受付部において受けつけた第２指示に応じて、複数のパケットを多重化する処理部と、
前記処理部において多重化した複数のパケットを出力する出力部とを備え、
前記処理部は、
複数のパケットのうち、制御情報の送信間隔の規定に応じたパケットを制御情報用のパケットとして割当てる第１処理部と、
前記第１処理部において割当てた制御情報用のパケット以外のパケットのうち、前記第１受付部において受けつけた第１指示に応じたパケットをコンテンツ用のパケットして割当てる第２処理部とを備え、
前記第２処理部は、コンテンツ用のパケットにコンテンツを含め、
前記第１処理部は、制御情報用のパケットに制御情報を含めず、当該制御情報用のパケットに挿入されるべき制御情報をもとに制御情報用のパケットのヘッダを設定することを特徴とする多重化装置。
【請求項２】
コンテンツの伝送速度に関する第１指示を受けつける第１受付部と、
コンテンツに少なくとも制御情報が追加されたシステム情報の伝送速度に関する第２指示を受けつける第２受付部と、
前記第２受付部において受けつけた第２指示に応じて、複数のパケットを多重化する処理部と、
前記処理部において多重化した複数のパケットを出力する出力部とを備え、
前記処理部は、
（１）複数のパケットのうち、制御情報の送信間隔の規定に応じたパケットを制御情報用のパケットとして割当てるとともに、（２）前記第１受付部において受けつけた第１指示をもとに、受信装置でのコンテンツの再生に支障が生じ得るコンテンツの送信の分断間隔を推定し、分断間隔を超えない範囲でコンテンツ用のパケットを割当てる第１処理部と、
前記第１処理部において割当てたコンテンツ用のパケットにコンテンツを含める第２処理部とを備え、
前記第１処理部は、制御情報用のパケットに制御情報を含めず、当該制御情報用のパケットに挿入されるべき制御情報をもとに制御情報用のパケットのヘッダを設定することを特徴とする多重化装置。
【請求項３】
制御情報の送信間隔の規定に応じて割当てられた制御情報用のパケットと、コンテンツ用のパケットとが少なくとも多重化された複数のパケットを入力する入力部と、
前記入力部において入力した複数のパケットのうち、制御情報用のパケットに制御情報を挿入する挿入部と、
前記挿入部が制御情報を挿入した制御情報用のパケットと、コンテンツ用のパケットとを送信する送信部とを備え、
前記入力部において入力した複数のパケットのうち、コンテンツ用のパケットにはコンテンツが含められており、制御情報用のパケットには、制御情報が含められておらず、
前記入力部において入力した複数のパケットのうち、制御情報用のパケットのヘッダは、前記挿入部において挿入すべき制御情報をもとに設定されていることを特徴とする送信装置。
【請求項４】
コンテンツの伝送速度に関する第１指示を受けつけるとともに、コンテンツに少なくとも制御情報が追加されたシステム情報の伝送速度に関する第２指示を受けつけ、受けつけた第２指示に応じて、複数のパケットを多重化してから出力する多重化装置と、
前記多重化装置からの複数のパケットを入力し、複数のパケットに対する送信処理を実行する送信装置とを備え、
前記多重化装置は、
複数のパケットのうち、制御情報の送信間隔の規定に応じたパケットを制御情報用のパケットとして割当てる第１処理部と、
前記第１処理部において割当てた制御情報用のパケット以外のパケットのうち、第１指示に応じたパケットをコンテンツ用のパケットして割当てる第２処理部とを備え、
前記第２処理部は、コンテンツ用のパケットにコンテンツを含め、
前記第１処理部は、制御情報用のパケットに制御情報を含めず、当該制御情報用のパケットに挿入されるべき制御情報をもとに制御情報用のパケットのヘッダを設定し、
前記送信装置は、
入力した複数のパケットのうち、制御情報用のパケットに制御情報を挿入する挿入部と、
前記挿入部が制御情報を挿入した制御情報用のパケットと、コンテンツ用のパケットとを送信する送信部とを備えることを特徴とする送信システム。
【請求項５】
コンテンツの伝送速度に関する第１指示を受けつけるステップと、
コンテンツに少なくとも制御情報が追加されたシステム情報の伝送速度に関する第２指示を受けつけるステップと、
受けつけた第２指示に応じて、複数のパケットを多重化するステップと、
多重化した複数のパケットを出力するステップとを備え、
前記多重化するステップは、
複数のパケットのうち、制御情報の送信間隔の規定に応じたパケットを制御情報用のパケットとして割当てるステップと、
割当てた制御情報用のパケット以外のパケットのうち、受けつけた第１指示に応じたパケットをコンテンツ用のパケットして割当てるステップとを備え、
前記コンテンツ用のパケットして割当てるステップは、コンテンツ用のパケットにコンテンツを含め、
前記制御情報用のパケットとして割当てるステップは、制御情報用のパケットに制御情報を含めず、当該制御情報用のパケットに挿入されるべき制御情報をもとに制御情報用のパケットのヘッダを設定することを特徴とする多重化方法。
【請求項６】
制御情報の送信間隔の規定に応じて割当てられた制御情報用のパケットと、コンテンツ用のパケットとが少なくとも多重化された複数のパケットを入力するステップと、
入力した複数のパケットのうち、制御情報用のパケットに制御情報を挿入するステップと、
制御情報を挿入した制御情報用のパケットと、コンテンツ用のパケットとを送信するステップとを備え、
前記入力するステップにおいて入力した複数のパケットのうち、コンテンツ用のパケットにはコンテンツが含められており、制御情報用のパケットには、制御情報が含められておらず、
前記入力するステップにおいて入力した複数のパケットのうち、制御情報用のパケットのヘッダは、前記挿入するステップにおいて挿入すべき制御情報をもとに設定されていることを特徴とする送信方法。
【発明の詳細な説明】
【技術分野】
【０００１】
本発明は、送信技術に関し、特に制御情報とコンテンツとが含まれた信号を送信する多重化装置、送信装置、送信システム、多重化方法、送信方法に関する。
【背景技術】
【０００２】
ＭＰＥＧ２トランスポートストリーム（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ：ＭＰＥＧ２−ＴＳ）は、例えばデジタル放送に使用されている。ＭＰＥＧ２−ＴＳでは、ＴＳパケットによって、複数のマルチメディアデータを多重化して伝送することが可能である。ＭＰＥＧ２−ＴＳは、送信時において、送信時に必要な情報を含むＴＳパケットを追加挿入することを必要とする。そのような場合、ＴＳに含まれるシステム時間情報を参照し、時間情報の補正が不要なパケット挿入位置を検索して追加パケットを挿入するか、追加パケットを挿入した後に時間情報を補正するかのいずれかの処理がなされる。例えば、ＴＳのパケット識別子（ｐａｃｋｅｔ  ｉｄｅｎｔｉｆｉｅｒ：ＰＩＤ）から記録すべき所定のサービスに関するＴＳパケットを選別し、記録不要なＴＳパケットを除去し、その位置に所定のレートでＮｕｌｌパケットが挿入される（例えば、特許文献１）。
【先行技術文献】
【特許文献】
【０００３】
【特許文献１】国際公開第０９／１４７７７６号パンフレット
【発明の概要】
【発明が解決しようとする課題】
【０００４】
映像データ、音声データ等のコンテンツは、ＭＰＥＧ２−ＴＳによって送信される際にエンコーダにて符号化される。エンコーダによって符号化されたコンテンツの状況、例えば、受信装置でのコンテンツの再生に支障が生じ得るコンテンツの送信の最小の分断間隔は、もとのコンテンツの内容や符号化のビットレート等に依存する。なお、この最小の分断間隔は一定ではなく、もとのコンテンツの内容などによって変化し得る。そのような状況下であっても、送信時に必要な情報（以下、「制御情報」という）は、規定によって定められた間隔で挿入されるべきである。
【０００５】
本発明はこうした状況に鑑みてなされたものであり、その目的は、符号化したコンテンツを送信する場合に、規定によって定められた間隔で制御情報を送信する技術を提供することである。
【課題を解決するための手段】
【０００６】
上記課題を解決するために、本発明のある態様の多重化装置は、コンテンツの伝送速度に関する第１指示を受けつける第１受付部と、コンテンツに少なくとも制御情報が追加されたシステム情報の伝送速度に関する第２指示を受けつける第２受付部と、第２受付部において受けつけた第２指示に応じて、複数のパケットを多重化する処理部と、処理部において多重化した複数のパケットを出力する出力部とを備える。処理部は、複数のパケットのうち、制御情報の送信間隔の規定に応じたパケットを制御情報用のパケットとして割当てる第１処理部と、第１処理部において割当てた制御情報用のパケット以外のパケットのうち、第１受付部において受けつけた第１指示に応じたパケットをコンテンツ用のパケットして割当てる第２処理部とを備える。第２処理部は、コンテンツ用のパケットにコンテンツを含め、第１処理部は、制御情報用のパケットに制御情報を含めず、当該制御情報用のパケットに挿入されるべき制御情報をもとに制御情報用のパケットのヘッダを設定する。
【０００７】
本発明の別の態様もまた、多重化装置である。この装置は、コンテンツの伝送速度に関する第１指示を受けつける第１受付部と、コンテンツに少なくとも制御情報が追加されたシステム情報の伝送速度に関する第２指示を受けつける第２受付部と、第２受付部において受けつけた第２指示に応じて、複数のパケットを多重化する処理部と、処理部において多重化した複数のパケットを出力する出力部とを備える。処理部は、（１）複数のパケットのうち、制御情報の送信間隔の規定に応じたパケットを制御情報用のパケットとして割当てるとともに、（２）第１受付部において受けつけた第１指示をもとに、受信装置でのコンテンツの再生に支障が生じ得るコンテンツの送信の分断間隔を推定し、分断間隔を超えない範囲でコンテンツ用のパケットを割当てる第１処理部と、第１処理部において割当てたコンテンツ用のパケットにコンテンツを含める第２処理部とを備える。第１処理部は、制御情報用のパケットに制御情報を含めず、当該制御情報用のパケットに挿入されるべき制御情報をもとに制御情報用のパケットのヘッダを設定する。
【０００８】
本発明のさらに別の態様は、送信装置である。この装置は、制御情報の送信間隔の規定に応じて割当てられた制御情報用のパケットと、コンテンツ用のパケットとが少なくとも多重化された複数のパケットを入力する入力部と、入力部において入力した複数のパケットのうち、制御情報用のパケットに制御情報を挿入する挿入部と、挿入部が制御情報を挿入した制御情報用のパケットと、コンテンツ用のパケットとを送信する送信部とを備える。入力部において入力した複数のパケットのうち、コンテンツ用のパケットにはコンテンツが含められており、制御情報用のパケットには、制御情報が含められておらず、入力部において入力した複数のパケットのうち、制御情報用のパケットのヘッダは、挿入部において挿入すべき制御情報をもとに設定されている。
【０００９】
本発明のさらに別の態様は、送信システムである。この送信システムは、コンテンツの伝送速度に関する第１指示を受けつけるとともに、コンテンツに少なくとも制御情報が追加されたシステム情報の伝送速度に関する第２指示を受けつけ、受けつけた第２指示に応じて、複数のパケットを多重化してから出力する多重化装置と、多重化装置からの複数のパケットを入力し、複数のパケットに対する送信処理を実行する送信装置とを備える。多重化装置は、複数のパケットのうち、制御情報の送信間隔の規定に応じたパケットを制御情報用のパケットとして割当てる第１処理部と、第１処理部において割当てた制御情報用のパケット以外のパケットのうち、第１指示に応じたパケットをコンテンツ用のパケットして割当てる第２処理部とを備える。第２処理部は、コンテンツ用のパケットにコンテンツを含め、第１処理部は、制御情報用のパケットに制御情報を含めず、当該制御情報用のパケットに挿入されるべき制御情報をもとに制御情報用のパケットのヘッダを設定し、送信装置は、入力した複数のパケットのうち、制御情報用のパケットに制御情報を挿入する挿入部と、挿入部が制御情報を挿入した制御情報用のパケットと、コンテンツ用のパケットとを送信する送信部とを備える。
【００１０】
本発明のさらに別の態様は、多重化方法である。この方法は、コンテンツの伝送速度に関する第１指示を受けつけるステップと、コンテンツに少なくとも制御情報が追加されたシステム情報の伝送速度に関する第２指示を受けつけるステップと、受けつけた第２指示に応じて、複数のパケットを多重化するステップと、多重化した複数のパケットを出力するステップとを備える。多重化するステップは、複数のパケットのうち、制御情報の送信間隔の規定に応じたパケットを制御情報用のパケットとして割当てるステップと、割当てた制御情報用のパケット以外のパケットのうち、受けつけた第１指示に応じたパケットをコンテンツ用のパケットして割当てるステップとを備える。コンテンツ用のパケットして割当てるステップは、コンテンツ用のパケットにコンテンツを含め、制御情報用のパケットとして割当てるステップは、制御情報用のパケットに制御情報を含めず、当該制御情報用のパケットに挿入されるべき制御情報をもとに制御情報用のパケットのヘッダを設定する。
【００１１】
本発明のさらに別の態様は、送信方法である。この方法は、制御情報の送信間隔の規定に応じて割当てられた制御情報用のパケットと、コンテンツ用のパケットとが少なくとも多重化された複数のパケットを入力するステップと、入力した複数のパケットのうち、制御情報用のパケットに制御情報を挿入するステップと、制御情報を挿入した制御情報用のパケットと、コンテンツ用のパケットとを送信するステップとを備える。入力するステップにおいて入力した複数のパケットのうち、コンテンツ用のパケットにはコンテンツが含められており、制御情報用のパケットには、制御情報が含められておらず、入力するステップにおいて入力した複数のパケットのうち、制御情報用のパケットのヘッダは、挿入するステップにおいて挿入すべき制御情報をもとに設定されている。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、符号化したコンテンツを送信する場合に、規定によって定められた間隔で制御情報を送信できる。
【図面の簡単な説明】
【００１４】
【図１】本発明の実施例に係るエリアワンセグメント放送システムの構成を示す図である。
【図２】図１の表示部に表示されるエンコード設定画面を示す図である。
【図３】図１の表示部に表示されるＰＳＩ／ＳＩレート設定画面を示す図である。
【図４】図１の第１処理部に保持されるテーブルのデータ構造を示す図である。
【図５】図１の第２処理部において多重化される複数のＴＳパケットのデータ構造を示す図である。
【図６】図５の比較対象となる複数のＴＳパケットのデータ構造を示す図である。
【図７】図１の挿入部において多重化される複数のＴＳパケットのデータ構造を示す図である。
【図８】図１の多重化装置による多重化手順を示すフローチャートである。
【図９】図１の送信装置による送信手順を示すフローチャートである。
【発明を実施するための形態】
【００１５】
本発明を具体的に説明する前に、まず概要を述べる。本発明の実施例は、エリアワンセグメント放送におけるコンテンツ配信サービスを実現するために、コンテンツが含まれたＯＦＤＭ信号を送信するエリアワンセグメント放送用の放送装置に関する。エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。エリアワンセグメント放送システムを効率的に構築するために、放送装置では、コンテンツを符号化するためのエンコーダと、ＯＦＤＭ信号を送信するための送信装置とが別に構成され、それらがネットワークにて接続される。さらに、ひとつのエンコーダに対して複数の送信装置が接続可能である。このようなエンコーダと送信装置との組合せは、送信システムとも呼べる。
【００１６】
エンコーダは、コンテンツが含まれたＴＳパケット（以下、「ＡＶパケット」という）を複数生成し、それらを時分割多重化してから送信装置へ出力する。送信装置は、制御情報が含まれたＴＳパケット（以下、「制御パケット」という）を生成し、ＡＶパケットの間に挿入することによって、複数のＴＳパケットを生成する。送信装置は、複数のＴＳパケットを送信する。このような状況下において、送信装置は、エンコーダにおける符号化状況を認識できないので、制御パケットの適切な挿入タイミングを決定できない。そのため、送信装置が制御パケットの挿入を任意のタイミングで行なった場合、受信装置でのコンテンツの再生に支障が生じ得るコンテンツの送信の最小の分断間隔（例えば、３パケット）以上の間隔となるように制御パケットが挿入される場合がある。
【００１７】
一方、ＭＰＥＧ２−ＴＳにおいては、制御パケットを送信すべき間隔が規定されている。規定された間隔よりも長い間隔で制御パケットを送信した場合、受信装置においてコンテンツが再生されなくなるおそれがある。これに対応するために、本実施例に係るエンコーダは、時分割多重化すべき複数のＴＳパケットのうち、制御パケットとすべきＴＳパケットを割当てる。この割当ては、ＭＰＥＧ２−ＴＳの規定にしたがってなされる。エンコーダは、割当てたＴＳパケットのヘッダを設定するとともに、ペイロードに無意味なデータ（以下、「ダミーデータ」という）を格納する。また、エンコーダは、残りのＴＳパケットにコンテンツを格納することによって、ＡＶパケットを生成する。送信装置では、ヘッダを確認することによって、ダミーデータの部分に制御情報を格納して、制御パケットを生成する。
【００１８】
図１は、本発明の実施例に係るエリアワンセグメント放送システム１００の構成を示す。エリアワンセグメント放送システム１００は、撮像装置１０、多重化装置１２、送信装置１４、受信装置１６を含む。多重化装置１２は、入力部２０、第１受付部２２、第２受付部２４、表示部２６、処理部２８、出力部３０を含む。処理部２８は、第１処理部３２、エンコード部３４、第２処理部３６を含む。送信装置１４は、入力部５０、データ記憶部５２、制御情報記憶部５４、挿入部５６、送信部５８を含む。
【００１９】
撮像装置１０は、映像データと音声データとを取得する。映像データと音声データは、デジタルデータにて構成される。ここで、映像データと音声データは、「ＡＶデータ」と総称され、これはコンテンツに相当する。撮像装置１０は、ＡＶデータを多重化装置１２へ出力する。
【００２０】
入力部２０は、撮像装置１０に接続され、撮像装置１０からのＡＶデータを入力する。表示部２６は、ユーザが設定を入力する際に参照すべき画面を生成する。ユーザによって設定される内容は、例えば、エンコードでのレート、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）のレートである。これらの画面は、処理部２８にて生成される。
【００２１】
図２は、表示部２６に表示されるエンコード設定画面を示す。映像欄にあるビットレート（ＥＳ）は、映像データを符号化する際のビットレートを示す。音声欄にあるビットレート（ＥＳ）は、音声データを符号化する際のビットレートを示す。これらは、ＡＶデータを符号化する際のビットレートとも総称される。また、ビットレート欄にあるシステム全体は、符号化されたＡＶデータに制御情報を加えたエリアワンセグメント放送システム１００全体でのビットレートを示す。なお、ビットレートに加えて、付加的な情報、例えば、「入力映像アスペクト」等も設定可能である。
【００２２】
図３は、表示部２６に表示されるＰＳＩ／ＳＩレート設定画面を示す。ＰＡＴ（Ｐｒｏｇｒａｍ  Ａｓｓｏｃｉａｔｉｏｎ  Ｔａｂｌｅ）は、ＴＳ内に含まれるプログラム一覧を示し、プログラム一覧は、後述のＰＭＴのＰＩＤ一覧で示される。ＰＩＤは、パケット識別子である。ＰＭＴ（Ｐｒｏｇｒａｍ  Ｍａｐ  Ｔａｂｌｅ）は、プログラムに含まれる映像データや音声データなどの各ＰＩＤを格納する。これらに、ＮＩＴ（Ｎｅｔｗｏｒｋ  Ｉｎｆｏｒｍａｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）等が加えられて、前述の制御情報とされる。制御情報に対しては、ＴＳパケットに挿入するか否か、ビットレート等が設定可能である。図１に戻る。
【００２３】
第１受付部２２は、表示部２６が画面を表示している状態において、ユーザから、ＡＶデータのビットレートに関する指示（以下、「第１指示」という）を受けつける。ＡＶデータのビットレートに関する指示は、コンテンツの伝送速度に関する指示に相当する。これは、図２の映像欄にあるビットレート（ＥＳ）、音声欄にあるビットレート（ＥＳ）への値の入力である。第１受付部２２は、第１指示を処理部２８へ出力する。
【００２４】
第２受付部２４は、表示部２６が画面を表示している状態において、ユーザから、エリアワンセグメント放送システム１００全体でのビットレートに関する指示（以下、「第２指示」という）を受けつける。エリアワンセグメント放送システム１００全体でのビットレートに関する指示は、コンテンツに少なくとも制御情報が追加されたシステム情報の伝送速度に関する指示に相当する。これは、図２のビットレート欄にあるシステム全体への値の入力である。第２受付部２４は、第２指示を処理部２８へ出力する。
【００２５】
第１処理部３２は、第２受付部２４からの第２指示を入力する。第１処理部３２は、第２指示に応じて、時分割多重化すべき複数のＴＳパケットを用意する。ここで、用意するとは、ＴＳパケットを配置すべきタイミングを決定することである。第２指示にて示されたビットレートが高くなるほど、単位時間当たりに用意すべきＴＳパケットの数が増加し、第２指示にて示されたビットレートが低くなるほど、単位時間当たりに用意すべきＴＳパケットの数が減少する。
【００２６】
第１処理部３２は、制御情報の送信間隔の規定が示されたテーブルを記憶する。図４は、第１処理部３２に保持されるテーブルのデータ構造を示す。これは、ＰＳＩ／ＳＩに関する情報である。「ｔａｂｌｅ＿ｉｄ」は、ＰＩＤを示し、「テーブル」は、制御情報の種類を示し、「送出レベル」は、送信が必須であるか、任意であるかを示し、「送出頻度」は、最低限送信すべき頻度を示す。図１に戻る。
【００２７】
第１処理部３２は、記憶したテーブルをもとに、複数のＴＳパケットのうち、制御情報の送信間隔の規定に応じたＴＳパケットを制御パケットとして割当てる。制御パケットは、前述のごとく、制御情報用のＴＳパケットに相当する。ここでは、規定された送信間隔よりも短くなるような制御パケットが割当てられる。第１処理部３２は、制御パケットのうちのペイロード部分に、制御情報を含めず、前述のダミーデータを含める。一方、第１処理部３２は、制御パケットのヘッダを設定する。例えば、第１処理部３２は、ヘッダの設定として、ＰＩＤ等を設定する。なお、制御パケットにアダプテーションフィールドが含まれる場合、第１処理部３２は、アダプテーションフィールドを設定してもよい。
【００２８】
さらに、第１処理部３２は、エンコード部３４からの指示をもとに、ＰＣＲ（Ｐｒｏｇｒａｍ  Ｃｌｏｃｋ  Ｒｅｆｅｒｅｎｃｅ）が含まれたＴＳパケット（以下、「ＰＣＲパケット」という）を設定する。ＰＣＲは、送信装置１４と受信装置１６との間で時刻を同期する際の基準となるクロックである。これは、例えば、１００ｍｓｅｃ間隔あるいは約２３１ｍｓｅｃ間隔で出現することが推奨されている。第１処理部３２は、制御パケットのヘッダが設定されたＴＳパケット、ＰＣＲパケット、残りのＴＳパケットを第２処理部３６へ出力する。
【００２９】
エンコード部３４は、入力部２０からのＡＶデータを入力する。エンコード部３４は、ＡＶデータに対して符号化を実行する。符号化には、例えば、Ｈ．２６４等が使用される。このような符号化は公知の技術であるので、ここでは説明を省略する。符号化には、第１指示にもとづくビットレートが使用される。エンコード部３４は、符号化したＡＶデータ（以下、これも「ＡＶデータ」という）を第２処理部３６へ出力する。
【００３０】
第２処理部３６は、第１処理部３２からの複数のＴＳパケットを入力するとともに、エンコード部３４からのＡＶデータを入力する。第２処理部３６は、第１処理部３２において割当てた制御パケットおよびＰＣＲパケット以外のＴＳパケットのうち、第１受付部２２において受けつけた第１指示に応じたＴＳパケットをＡＶパケットとして割当てる。ＡＶパケットは、前述のごとく、コンテンツ用のＴＳパケットに相当する。第２処理部３６は、割当てたＡＶパケットのヘッダを設定するとともに、当該ＡＶパケットにＡＶデータを含める。
【００３１】
図５は、第２処理部３６において多重化される複数のＴＳパケットのデータ構造を示す。左から右へＴＳパケットが時分割多重化されている。ひとつのブロックにて示されたＡＶパケットは、ひとつのＡＶパケットであってもよく、複数のＡＶパケットであってもよい。「ヘッダ」と「ＰＳＩ予約領域」と示されたブロックは、制御パケットである。前述のごとく、「ヘッダ」は設定されているが、「ＰＳＩ予約領域」にはダミーデータが含まれている。これは、将来的にＰＳＩ／ＳＩのペイロードが含まれるべき領域である。なお、「ＤＡＴＡ予約領域」は、将来的にデータ放送の情報が含まれるべき領域である。これは、制御情報ではないが、ＡＶデータとは異なるという点において、制御情報に分類してもよい。
【００３２】
図６は、比較対象となる複数のＴＳパケットのデータ構造を示す。図示のごとく、ＡＶパケットだけが時分割多重化されている。なお、ＰＣＲパケットが多重化されてもよい。図１に戻る。第２処理部３６は、複数のＴＳパケットを出力部３０へ出力する。
【００３３】
出力部３０は、処理部２８からの複数のＴＳパケットを入力する。また、出力部３０は、ネットワークを介して送信装置１４に接続されている。出力部３０は、ネットワークにて規定された形式へ複数のＴＳパケットを変形し、変形したＴＳパケットを送信装置１４へ出力する。ネットワークがＩＰ（Ｉｎｔｅｒｎｅｔ  Ｐｒｏｔｏｃｏｌ）に対応する場合、出力部３０は、複数のＴＳパケットをＩＰパケットの形式に変形する。
【００３４】
入力部５０は、ネットワークを介して多重化装置１２に接続されており、多重化装置１２から、変形されたＴＳパケットを入力する。これは、制御情報の送信間隔の規定に応じて割当てられた制御パケットと、ＰＣＲパケットと、ＡＶパケットとが少なくとも多重化された複数のＴＳパケットである。なお、制御パケットには、制御情報が含められていないが、そのヘッダは設定されている。一方、ＡＶパケットには、ＡＶデータが含められているとともに、そのヘッダも設定されている。入力部５０は、ＩＰパケットに変形されたＴＳパケットをもとに戻すことによって、複数のＴＳパケットを取得する。入力部５０は、複数のＴＳパケットを挿入部５６へ出力する。
【００３５】
データ記憶部５２は、図５の「ＤＡＴＡ予約領域」に含めるべきデータ放送の情報を記憶する。制御情報記憶部５４は、図５の「ＰＳＩ予約領域」に含めるべき制御情報を記憶する。データ記憶部５２、制御情報記憶部５４に記憶されるデータは、新たに生成されていってもよい。
【００３６】
挿入部５６は、入力部５０からの複数のＴＳパケットを入力する。挿入部５６は、各ＴＳパケットのヘッダ、例えばＰＩＤを確認することによって、図５の「ＰＳＩ予約領域」、「ＤＡＴＡ予約領域」を特定する。挿入部５６は、特定したＤＡＴＡ予約領域に対して、データ記憶部５２に記憶された情報を挿入し、特定したＰＳＩ予約領域に対して、制御情報記憶部５４に記憶されたＰＳＩ／ＳＩの情報を挿入する。さらに、挿入部５６は、ＰＣＲパケットに含まれたＰＣＲの値を更新してもよい。なお、ＰＣＲの値を更新する場合は、ＡＶパケットに含まれる時刻情報も対応するように更新する。
【００３７】
図７は、挿入部５６において多重化される複数のＴＳパケットのデータ構造を示す。図７は、図５と同様に示されるが、図５において「ＰＳＩ予約領域」等と示されていた部分に情報が含まれることによって、「ＰＳＩパケット」等とされている。図１に戻る。挿入部５６は、情報を挿入した複数のＴＳパケットを送信部５８へ出力する。送信部５８は、挿入部５６からの複数のＴＳパケットを入力する。送信部５８は、エリアワンセグメント放送システム１００にて規定された形式へ複数のＴＳパケットを変形することによって、ＯＦＤＭ信号を生成する。送信部５８は、ＯＦＤＭ信号をアンテナから送信する。
【００３８】
受信装置１６は、送信装置１４からのＯＦＤＭ信号を受信する。受信装置１６は、受信したＯＦＤＭ信号を処理することによって、制御パケットに含まれる情報を参照しながらＡＶデータに含まれた映像データ、音声データを再生する。受信装置１６には公知の技術が使用されればよいので、ここでは、説明を省略する。なお、ここでは、ひとつの受信装置１６が示されているが、エリアワンセグメント放送システム１００には、複数の受信装置１６が含まれてもよい。
【００３９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４０】
以上の構成によるエリアワンセグメント放送システム１００の動作を説明する。図８は、多重化装置１２による多重化手順を示すフローチャートである。第１受付部２２、第２受付部２４は、設定を受けつける（Ｓ１０）。第１処理部３２は、ＰＳＩパケット、ＤＡＴＡパケット等の領域を確保し、ヘッダを挿入する（Ｓ１２）。第２処理部３６は、ＡＶパケットを配置する（Ｓ１４）。出力部３０は、多重化した複数のＴＳパケットを出力する（Ｓ１６）。
【００４１】
図９は、送信装置１４による送信手順を示すフローチャートである。入力部５０は、多重化された複数のＴＳパケットを入力する（Ｓ２０）。挿入部５６は、ヘッダにしたがって、ＰＳＩパケット、ＤＡＴＡパケット等を配置する（Ｓ２２）。送信部５８は、ＯＦＤＭ信号を送信する（Ｓ２４）。
【００４２】
本発明の実施例によれば、制御情報を含めなくても、それを格納するための領域を割当てるとともにヘッダを設定するので、制御情報をＡＶデータよりも優先的に出力できる。また、ＡＶデータよりも制御情報が優先的に送信されるので、長期間にわたって制御情報を出力しないという状況を回避できる。また、長期間にわたって制御情報が出力されないという状況が回避されるので、符号化したコンテンツを送信する場合に、規定によって定められた間隔で制御情報を出力できる。また、ヘッダをもとに制御情報を含めるので、制御パケットを正確に生成できる。また、規定によって定められた間隔で制御情報が送信されるので、ＡＶデータを再生できる。
【００４３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４４】
本発明の実施例において、エリアワンセグメント放送システム１００、送信装置１４は、ワンセグメント放送を実行している。しかしながらこれに限らず例えば、これらは、複数のセグメント放送を実行してもよい。複数のセグメント放送の一例は、フルセグメント放送、３セグメント放送である。本変形例によれば、さまざまな放送に本発明を適用できる。
【００４５】
本発明の実施例において、エリアワンセグメント放送システム１００では、ひとつの多重化装置１２にひとつの送信装置１４が接続されている。しかしながらこれに限らず例えば、ひとつの多重化装置１２に複数の送信装置１４が接続されていてもよい。本変形例によれば、エリアワンセグメント放送システム１００の構成の自由度を向上できる。
【００４６】
本発明の実施例において、第１処理部３２は、記憶したテーブルをもとに、複数のＴＳパケットのうち、制御情報の送信間隔の規定に応じたＴＳパケットを制御パケットとして割当てる。しかしながらこれに限らず、第１処理部３２は、前述の制御パケットの割当てに加え、第１受付部２２において受けつけた第１指示や、コンテンツの内容や、エンコード部３４におけるエンコード特性とをもとに、ＡＶパケットを割当ててもよい。具体的に説明すると、前述のエンコード特性などから、受信装置でのコンテンツの再生に支障が生じ得るコンテンツの送信の最小の分断の間隔を推定する。そしてその最小の分断間隔を超えない範囲でという条件でＡＶパケットを割当て、割当てたＡＶパケットのヘッダを設定する。第２処理部３６では、ＡＶパケットの割当ては行わず、第１処理部３２で割当てられたＡＶパケットにエンコード部３４からのＡＶデータを含める。本変形例によれば、制御情報に対する規定と、前述の最小の分断間隔を超えない分断間隔とを両立できる。
【符号の説明】
【００４７】
１０  撮像装置、  １２  多重化装置、  １４  送信装置、  １６  受信装置、  ２０  入力部、  ２２  第１受付部、  ２４  第２受付部、  ２６  表示部、  ２８  処理部、  ３０  出力部、  ３２  第１処理部、  ３４  エンコード部、  ３６  第２処理部、  ５０  入力部、  ５２  データ記憶部、  ５４  制御情報記憶部、  ５６  挿入部、  ５８  送信部、  １００  エリアワンセグメント放送システム。
【図１】
2015159468.tif 000003
【図２】
2015159468.tif 000004
【図３】
2015159468.tif 000005
【図４】
2015159468.tif 000006
【図５】
2015159468.tif 000007
【図６】
2015159468.tif 000008
【図７】
2015159468.tif 000009
【図８】
2015159468.tif 000010
【図９】
2015159468.tif 000011